(57)【要約】本発明は、会議へのアクセス方法及び装置を開示する。当該方法は、発呼側ユーザの呼出しを受信することと、発呼側ユーザを上記会議システムの会議室にアクセスすることとを含む会議へのアクセス方法であって、当該発呼側ユーザの呼び出す番号情報は、着呼側ユーザの番号と会議システムにアクセスするための番号プレフィックスとを含み、着呼側ユーザが会議室の会議参加者である。本発明によると、発呼側ユーザは呼出す番号のプレフィックスにより直接会議システムにアクセスし、会議参加者を呼出すことで直接会議室に加入することになり、関連技術において、様々な原因で発呼側ユーザが会議に参加できないという課題を解決し、発呼側ユーザが会議室にアクセスするプロセスを最適化して、会議アクセス方法の適用範囲を拡大し、発呼側ユーザが会議室にアクセスする効率と成功率を向上させている。【選択図】図１
2015536618.tif 000002
【特許請求の範囲】
【請求項１】
発呼側ユーザの呼出しを受信することと、
前記発呼側ユーザを会議システムの会議室にアクセスすることと、を含む会議へのアクセス方法であって、
前記発呼側ユーザの呼び出す番号情報は、着呼側ユーザの番号と、会議システムにアクセスするための番号プレフィックスとを含み、前記着呼側ユーザが会議室の会議参加者である会議へのアクセス方法。
【請求項２】
前記発呼側ユーザの呼出しを受信してから、上記方法は、
前記番号情報により前記発呼側ユーザに対して身元認証を行うことをさらに含む請求項１に記載の方法。
【請求項３】
前記番号情報により前記発呼側ユーザに対して身元認証を行うことは、
前記着呼側ユーザの番号により前記発呼側ユーザが前記着呼側ユーザの番号のある会議室にいるか否かを確定することと、
前記発呼側ユーザが前記会議室にいると確定された場合、前記発呼側ユーザに対して身元認証を行うこととを含む請求項２に記載の方法。
【請求項４】
前記着呼側ユーザの番号により前記発呼側ユーザが前記会議室にいるか否かを確定することは、
前記着呼側ユーザの番号がオンライン会議参加者の情報にあるか否かを調べることと、
そうである場合、前記着呼側ユーザの番号により、前記着呼側ユーザの番号のある会議室の会議室番号を確定し、前記会議室番号により当該会議室の会議参加者の情報を確定することと、
前記会議参加者の情報により前記発呼側ユーザが前記会議室にいるか否かを確定することとを含む請求項３に記載の方法。
【請求項５】
前記発呼側ユーザに対して身元認証を行うことは、
前記発呼側ユーザに会議パスワードを入力するように提示することと、
前記発呼側ユーザの入力した前記会議パスワードが正確であるか否かを判断することと、
正確である場合、前記発呼側ユーザに対する身元認証が成功したと確定することとを含む請求項３に記載の方法。
【請求項６】
前記発呼側ユーザが前記会議室にいるか否かを確定してから、当該方法は、
前記発呼側ユーザが前記会議室にいない場合、前記発呼側ユーザを前記会議室の会議傍聴者として、前記発呼側ユーザに対して身元認証を行うことをさらに含む請求項３に記載の方法。
【請求項７】
前記発呼側ユーザを前記会議室の会議傍聴者として、前記発呼側ユーザに対して身元認証を行うことは、
前記着呼側ユーザに前記発呼側ユーザの会議室へのアクセスを許容するか否かを尋ねることと、
前記着呼側ユーザに許容された場合、前記会議室の司会者に前記発呼側ユーザの会議室へのアクセスを許容するか否かを尋ねることと、
前記会議室の司会者に許容された場合、前記発呼側ユーザに対する身元認証が成功したと確定することとを含む請求項６に記載の方法。
【請求項８】
発呼側ユーザの呼出しを受信する呼出し受信モジュールと、
前記発呼側ユーザを会議システムの会議室にアクセスする会議室アクセスモジュールとを含む会議へのアクセス装置であって、
前記発呼側ユーザの呼び出す番号情報は、着呼側ユーザの番号と会議システムにアクセスするための番号プレフィックスとを含み、前記着呼側ユーザが会議室の会議参加者である会議へのアクセス装置。
【請求項９】
前記番号情報により前記発呼側ユーザに対して身元認証を行う身元認証モジュールをさらに含む請求項８に記載の装置。
【請求項１０】
前記身元認証モジュールは、
前記着呼側ユーザの番号により前記発呼側ユーザが上記着呼側ユーザの番号のある会議室にいるか否かを確定する確定ユニットと、
前記確定ユニットにより前記発呼側ユーザが前記会議室にいると確定された場合、前記発呼側ユーザに対して身元認証を行う第１の認証ユニットとを含む請求項９に記載の装置。
【請求項１１】
前記確定ユニットは、
前記着呼側ユーザの番号がオンライン会議参加者の情報にあるか否かを調べる調査サブユニットと、
前記調査サブユニットの調査結果は前記着呼側ユーザの番号が前記オンライン会議参加者の情報にあることである場合、前記着呼側ユーザの番号により、前記着呼側ユーザの番号のある会議室の会議室番号を確定し、前記会議室番号により当該会議室の会議参加者の情報を確定する第１の確定サブユニットと、
前記第１の確定サブユニットにより確定された上記会議参加者の情報により前記発呼側ユーザが前記会議室にいるか否かを確定する第２の確定サブユニットとを含む請求項１０に記載の装置。
【請求項１２】
前記第１の認証ユニットは、
前記発呼側ユーザに会議パスワードを入力するように提示するパスワード提示サブユニットと、
前記発呼側ユーザの入力した前記会議パスワードが正確であるか否かを判断するパスワード判断サブユニットと、
前記パスワード判断サブユニットの判断結果が正確である場合、前記発呼側ユーザに対する身元認証が成功したと確定する第１の認証成功サブユニットとを含む請求項１０に記載の装置。
【請求項１３】
前記身元認証モジュールは、
前記確定ユニットにより前記発呼側ユーザが上記会議室にいないと確定された場合、前記発呼側ユーザを前記会議室の会議傍聴者として、前記発呼側ユーザに対して身元認証を行う第２の認証ユニットをさらに含む請求項１０に記載の装置。
【請求項１４】
前記第２の認証ユニットは、
前記着呼側ユーザに前記発呼側ユーザの会議室へのアクセスを許容するか否かを尋ねる第１の問合せサブユニットと、
前記第１の問合せサブユニットの問合せ結果は前記着呼側ユーザが前記発呼側ユーザの会議室へのアクセスを許容することである場合、前記会議室の司会者に前記発呼側ユーザの会議室へのアクセスを許容するか否かを尋ねる第２の問合せサブユニットと、
前記問合せ結果は前記会議室の司会者が前記発呼側ユーザの会議室へのアクセスを許容することである場合、前記発呼側ユーザに対する身元認証が成功したと確定する第２の認証成功サブユニットとを含む請求項１３に記載の装置。
【発明の詳細な説明】
【技術分野】
【０００１】
本発明は通信分野に関し、具体的には、会議へのアクセス方法及び装置に関する。
【背景技術】
【０００２】
電話会議は、よく使われるコミュニケーションの手段として、且つ国際で流行っているオフィス方式として、費用が低減され、時間が節約でき、リアルタイム性が高く、地域に制限されないなどのメリットを有し、現代のビジネス、オフィス、管理の重要な手段になっている。
【０００３】
従来の技術において、会議電話に参加するには、発呼側ユーザから自発的に会議のアクセスコードをダイヤルし、音声メニューで会議室を選択し、又は直接会議アクセスコード＋会議室番号をダイヤルし、パスワードを入力して会議室に加入する方式と、定例会議のタイミングになると、システムから会議参加者を呼出し、接続されてから会議参加者が会議に参加する方式との２種類の方式がある。
【０００４】
しかし、発呼側ユーザが元々ある会議の予定参加者であるが、会議の開始後に会議に参加しようとするけど、室外にいるなどの原因により会議室の番号を取得できなく、この時、会議の参加者たちが会議の通話中で、電話に出ることができなく、聞くようがないことで、当該発呼側ユーザが会議に参加できなくなる場合がある。また、発呼側ユーザが会議の予定参加者ではないけど、会議を傍聴しようとするが、会議のアクセスコード、会議室の番号、パスワードなどの情報が分からないことにより、発呼側ユーザが当該会議を傍聴することができなくなる場合もある。
【０００５】
関連技術における様々な原因により発呼側ユーザが会議に参加できないという課題に対して、いままで効果的なソリューションが提出されていない。
【発明の概要】
【発明が解決しようとする課題】
【０００６】
関連技術における様々な原因により発呼側ユーザが会議に参加できないという課題に対して、本発明の実施例は、少なくとも上記課題を解決するために、会議へのアクセス方法及び装置を提供する。
【課題を解決するための手段】
【０００７】
本発明の実施例の一つの方面によると、発呼側ユーザの呼出しを受信することと、発呼側ユーザを上記会議システムの会議室にアクセスすることとを含む会議へのアクセス方法であって、前記発呼側ユーザの呼び出す番号情報は、着呼側ユーザの番号と会議システムにアクセスするための番号プレフィックスとを含み、前記着呼側ユーザが会議室の会議参加者である会議へのアクセス方法を提供する。
【０００８】
上記発呼側ユーザの呼出しを受信してから、上記方法は、上記番号情報により上記発呼側ユーザに対して身元認証を行うことをさらに含む。
【０００９】
上記番号情報により上記発呼側ユーザに対して身元認証を行うことは、上記着呼側ユーザの番号により上記発呼側ユーザが上記着呼側ユーザの番号のある会議室にいるか否かを確定することと、上記発呼側ユーザが上記会議室にいると確定された場合、上記発呼側ユーザに対して身元認証を行うこととを含む。
【００１０】
上記着呼側ユーザの番号により上記発呼側ユーザが上記会議室にいるか否かを確定することは、上記着呼側ユーザの番号が上記オンライン会議参加者の情報にあるか否かを調べることと、そうである場合、上記着呼側ユーザの番号により、上記着呼側ユーザの番号のある会議室の会議室番号を確定することと、上記会議室番号により当該会議室の会議参加者の情報を確定することと、上記会議参加者の情報により上記発呼側ユーザが上記会議室にいるか否かを確定することとを含む。
【００１１】
上記発呼側ユーザに対して身元認証を行うことは、上記発呼側ユーザに会議パスワードを入力するように提示することと、上記発呼側ユーザの入力した上記会議パスワードが正確であるか否かを判断することと、正確である場合、上記発呼側ユーザに対する身元認証が成功したと確定することとを含む。
【００１２】
上記発呼側ユーザが上記会議室にいるか否かを確定してから、当該方法は、上記発呼側ユーザが上記会議室にいない場合、上記発呼側ユーザを上記会議室の会議傍聴者として、上記発呼側ユーザに対して身元認証を行うことをさらに含む。
【００１３】
上記発呼側ユーザを上記会議室の会議傍聴者として、上記発呼側ユーザに対して身元認証を行うことは、上記着呼側ユーザに上記発呼側ユーザの会議室へのアクセスを許容するか否かを尋ねることと、上記着呼側ユーザに許容された場合、上記会議室の司会者に上記発呼側ユーザの会議室へのアクセスを許容するか否かを尋ねることと、上記会議室の司会者に許容された場合、上記発呼側ユーザに対する身元認証が成功したと確定することとを含む。
【００１４】
本発明の実施例のもう一つの方面によると、発呼側ユーザの呼出しを受信する呼出し受信モジュールと、発呼側ユーザを上記会議システムの会議室にアクセスする会議室アクセスモジュールとを含む会議へのアクセス装置であって、前記発呼側ユーザの呼び出す番号情報は、着呼側ユーザの番号と会議システムにアクセスするための番号プレフィックスとを含み、前記着呼側ユーザが会議室の会議参加者である会議へのアクセス装置を提供する。
【００１５】
上記装置は、上記番号情報により上記発呼側ユーザに対して身元認証を行う身元認証モジュールをさらに含む。
【００１６】
上記身元認証モジュールは、上記着呼側ユーザの番号により上記発呼側ユーザが上記着呼側ユーザの番号のある会議室にいるか否かを確定する確定ユニットと、上記確定ユニットにより上記発呼側ユーザが上記会議室にいると確定された場合、上記発呼側ユーザに対して身元認証を行う第１の認証ユニットとを含む。
【００１７】
上記確定ユニットは、上記着呼側ユーザの番号が上記オンライン会議参加者の情報にあるか否かを調べる調査サブユニットと、上記調査サブユニットの調査結果は上記着呼側ユーザの番号が上記オンライン会議参加者の情報にあると確定する場合、上記着呼側ユーザの番号により、上記着呼側ユーザの番号のある会議室の会議室番号を確定し、上記会議室番号により当該会議室の会議参加者の情報を確定する第１の確定サブユニットと、上記第１の確定サブユニットにより確定された上記会議参加者の情報により上記発呼側ユーザが上記会議室にいるか否かを確定する第２の確定サブユニットとを含む。
【００１８】
上記第１の身元認証ユニットは、上記発呼側ユーザに会議パスワードを入力するように提示するパスワード提示サブユニットと、上記発呼側ユーザの入力した上記会議パスワードが正確であるか否かを判断するパスワード判断サブユニットと、上記パスワード判断サブユニットの判断結果が正確である場合、上記発呼側ユーザに対する身元認証が成功したと確定する第１の認証成功サブユニットとを含む。
【００１９】
上記身元認証モジュールは、上記確定ユニットにより上記発呼側ユーザが上記会議室にいないと確定された場合、上記発呼側ユーザを上記会議室の会議傍聴者として、上記発呼側ユーザに対して身元認証を行う第２の認証ユニットをさらに含む。
【００２０】
上記第２の認証ユニットは、上記着呼側ユーザに上記発呼側ユーザの会議室へのアクセスを許容するか否かを尋ねる第１の問合せサブユニットと、上記第１の問合せサブユニットの問合せ結果は上記着呼側ユーザが上記発呼側ユーザの会議室へのアクセスを許容することである場合、上記会議室の司会者に上記発呼側ユーザの会議室へのアクセスを許容するか否かを尋ねる第２の問合せサブユニットと、上記問合せ結果は上記会議室の司会者が上記発呼側ユーザの会議室へのアクセスを許容することである場合、上記発呼側ユーザに対する身元認証が成功したと確定する第２の認証成功サブユニットとを含む。
【発明の効果】
【００２１】
本発明の実施例によると、発呼側ユーザが呼び出す番号のプレフィックスにより、直接会議室システムにアクセスし、会議参加者を呼出すことで、直接会議室に加入することになり、関連技術において、様々な原因で発呼側ユーザが会議に参加できないという課題を解決し、発呼側ユーザが会議室にアクセスするプロセスを最適化して、会議アクセス方法の適用範囲を拡大し、発呼側ユーザが会議室にアクセスする効率と成功率を向上させている。
【図面の簡単な説明】
【００２２】
以下に記載の図面は、本発明をさらに理解するために提供され、本願の一部を構成し、本発明の好適の実施例及びその説明は本発明を解釈するものであり、本発明を限定するものではない。
【図１】本発明の実施例に係る会議にアクセスする方法のフローチャート図である。
【図２】本発明の実施例に係る発呼側ユーザが会議にアクセスするシステムのアーキテクチャを示す図である。
【図３】本発明の実施例に係る会議アクセス処理方法のフローチャート図である。
【図４】本発明の実施例に係る会議アクセス装置の構造ブロック図である。
【図５】本発明の実施例に係る会議アクセス装置の第１種類の具体的な構造ブロック図である。
【図６】本発明の実施例に係る会議アクセス装置の第２種類の具体的な構造ブロック図である。
【図７】本発明の実施例に係る会議参加者を呼び出し直接会議システムにアクセスさせるモジュール構造図である。
【図８】本発明の実施例に係る会議システムの各モジュールにより会議へのアクセスを実現する方法のフローチャート図である。
【発明を実施するための形態】
【００２３】
以下、図面を参照しながら、実施例を結合して本発明を詳しく説明する。なお、本願の実施例および実施例の特徴は、衝突がない場合には、互いに組み合わせることが可能である。
【００２４】
関連技術における会議アクセス方法は、様々な交換ネットワークのタイプにより制限されることがあり、また、外部或いは発呼側ユーザ自身の様々な原因により、発呼側ユーザが順調に会議にアクセスできないことがよくある。これに基づき、本発明の実施例は、会議アクセス方法及び装置を提供し、発呼側ユーザが直接会議参加者を呼出すことで会議にアクセスできるようになる。以下、具体的な実施例により説明する。
【００２５】
本発明は会議アクセス方法を提供し、当該方法は会議システム側で実現される。図１は本発明の実施例に係る会議にアクセスする方法のフローチャート図である。図１に示すように、当該方法は以下のようなステップ（ステップＳ１０２〜ステップＳ１０４）を含む。
【００２６】
ステップＳ１０２、発呼側ユーザの呼出しを受信し、ここで、当該発呼側ユーザの呼び出す番号情報は、着呼側ユーザの番号と会議システムにアクセスするための番号プレフィックスとを含み、着呼側ユーザが会議室の会議参加者である。
【００２７】
ステップＳ１０４、発呼側ユーザを上記会議システムの会議室にアクセスする。
【００２８】
上記方法によると、発呼側ユーザが呼出す番号のプレフィックスにより直接会議システムにアクセスし、会議参加者を呼出すことで直接会議室に加入することになり、関連技術において、様々な原因で発呼側ユーザが会議に参加できないという課題を解決し、発呼側ユーザが会議室にアクセスするプロセスを最適化して、会議アクセス方法の適用範囲を拡大し、発呼側ユーザが会議室にアクセスする効率と成功率を向上させている。
【００２９】
本実施例によると、発呼側ユーザが呼び出した上記番号プレフィックスにより会議システムにアクセスすることで、様々なタイプの通信ネットワーク間の区別が解消され、交換ネットワーク側で簡単な番号プレフィックスの分析設定をするだけで、交換ネットワークのタイプを区別することなく、インテリジェントネットワークサービスにより会議へのアクセスを実現できる。上記番号プレフィックスは、会議システムのアクセスコードを示し、ＩＰ電話システムを利用することを表す１７９５１＋着呼側ユーザの番号を呼出すことに類似する。発呼側ユーザが番号のプレフィックスを追加することで、本実施例に提供する会議アクセス方法により会議システムにアクセスしようとすることを表す。
【００３０】
会議アクセスの安全性を高めるために、発呼側ユーザの呼出しを受信してから、会議システムは、まず発呼側ユーザに対して身元認証をして、認証が成功してから、発呼側ユーザを会議室にアクセスすることができる。これに基づき、本実施例は、発呼側ユーザの呼出しを受信してから、上記方法が、番号情報により発呼側ユーザに対して身元認証をすることをさらに含む好適な実施形態を提供する。
【００３１】
如何にして発呼側ユーザの身元認証を行うかということについて、本実施例は、好適な実施形態を提供している。即ち、番号情報により発呼側ユーザに対して身元認証を行うことは、着呼側ユーザの番号により発呼側ユーザが着呼側ユーザのいる会議室にいるか否かを確定することと、発呼側ユーザが会議室にいると確定された場合、発呼側ユーザに対して身元認証を行うこととを含む。上記好適な実施形態によると、発呼側ユーザが上記会議室の参加者であるか否かを判定でき、そうである場合、直接発呼側ユーザを会議室にアクセスすることができることが好ましい。
【００３２】
如何にして発呼側ユーザが上記会議室にいるか否かを確定するかということについて、下記のような好適な実施形態を提供する。着呼側ユーザの番号により発呼側ユーザが会議室にいるか否かを確定することは、着呼側ユーザの番号がオンライン会議参加者の情報にあるか否かを調べることと、そうである場合、着呼側ユーザの番号により、当該着呼側ユーザの番号のある会議室の会議室番号を確定することと、当該会議室番号により当該会議室の会議参加者の情報を確定することと、当該会議参加者の情報により発呼側ユーザが上記会議室にいるか否かを確定することとを含む。上記好適な実施形態によると、発呼側ユーザが会議室にいるか否かを確定する正確率が高められ、会議アクセスの安全性が向上されている。
【００３３】
発呼側ユーザが会議参加者であると確定された後、発呼側ユーザを直接会議室にアクセスすることができるが、ある会議で討議される内容は機密なものである場合など会議アクセスの安全性を高めるために、さらに発呼側ユーザに対して身元認証をする必要がある。従って、本実施例は、発呼側ユーザに会議パスワードを入力するように提示することと、発呼側ユーザの入力した上記会議パスワードが正確であるか否かを判断し、正確である場合、発呼側ユーザに対する身元認証が成功したと確定するという好適な実施形態を提供する。
【００３４】
発呼側ユーザが会議参加者ではないと確定されてから、会議アクセス方法の適用範囲を拡大し、発呼側ユーザの会議へのアクセスの成功率を高めるために、発呼側ユーザを会議傍聴者として会議にアクセスすることを許容するか否かを考慮することができる。従って、本実施例は、さらに好適な実施形態を提供する。即ち、発呼側ユーザが会議室にいるか否かを確定してから、上記方法は、発呼側ユーザが会議室にいない場合、発呼側ユーザを上記会議室の会議傍聴者として、上記発呼側ユーザに対して身元認証を行うことをさらに含む。
【００３５】
発呼側ユーザを会議室の会議傍聴者とすることを考慮してから、発呼側ユーザに対して身元認証を行うことは、着呼側ユーザ及び／又は会議の司会者が許容するか否かにより、発呼側ユーザを会議室にアクセスするか否かを決定する。これに基づき、本実施例は好適な実施形態を提供する。発呼側ユーザを会議室の会議傍聴者として、発呼側ユーザに対して身元認証を行うことは、着呼側ユーザに発呼側ユーザの会議室へのアクセスを許容するか否かを尋ねることと、着呼側ユーザに許容された場合、会議室の司会者に発呼側ユーザの会議室へのアクセスを許容するか否かを尋ねることと、会議室の司会者に許容された場合、発呼側ユーザに対する身元認証が成功したと確定することとを含む。
【００３６】
もちろん、上記形態は、着呼側ユーザ及び／又は会議室司会者により発呼側ユーザの会議アクセスを許容するか否かが確定するもでき、着呼側ユーザ又は他の会議参加者により許容するか否かを確定することもできる。上記許容するか否かを確定する動作の実行体は当該会議室に関係する何れか一つ、又は複数の会議参加者であってもよく、且つその判断する順番も定められていない。上述したようなまず着呼側ユーザにより許容するか否かを確定し、それから会議室の司会者により許容するか否かを確定する方式はある好適な実施形態に過ぎない。当該方式により、非予定参加者の会議傍聴機能を実現でき、会議アクセス方法の適用範囲を拡大し、通信オペレーターが素早くて、低コストにサービスを展開することができるようになる。
【００３７】
上記実施例で紹介した会議アクセス方法に基づき、以下、発呼側ユーザが会議にアクセスするシステムのアーキテクチャについて説明する。上記システムのアーキテクチャは、インテリジェントネットワークサービスにより実現されるもので、発呼側ユーザが電話会議をしている会議参加者を呼出すと、直接当該会議参加者のいる会議のシステムに入ることができる。図２は本発明の実施例に係る発呼側ユーザが会議にアクセスするシステムのアーキテクチャを示す図である。図２に示すように、発呼側ユーザＡと着呼側ユーザＢのいずれも交換ネットワークにアクセスする。インテリジェントネットワークプラットフォーム及び会議システムは、交換ネットワークにアクセスし、且つ発呼側ユーザＡや、着呼側ユーザＢに接続する。発呼側ユーザＡの呼出す番号情報は、番号プレフィックスと着呼側ユーザＢの番号とを含み、コア交換ネットワーク側で番号プレフィックスを分析して、発呼側ユーザＡの呼出しを会議システムにアクセスし、会議システムがロジック処理により認証が成功されてから、発呼側ユーザＡを対応する会議室にアクセスし、会議に参加させる。
【００３８】
以下、好適な実施例を通して、上記会議へのアクセス方法についてさらに詳しく説明する。
【００３９】
図３は、本発明の実施例に係る会議へのアクセス処理方法のフローチャート図である。図３に示すように、当該方法以下のようなステップ（ステップＳ３０２〜ステップＳ３０８）を含む。
【００４０】
ステップＳ３０２、会議を開始する流れ：会議の時間になってから、会議参加者から自発的にアクセス番号を呼出す、又はシステム外で呼出すなどの方式により会議に参加し、システムは、会議進行中、会議室番号など各会議参加者の情報を記憶する。
【００４１】
ステップＳ３０４、発呼側ユーザの呼出しの流れ：発呼側ユーザはプレフィックス＋着呼側ユーザの番号の方式で着呼側ユーザを呼出し、番号プレフィックスを分析することでシステムに入る。
【００４２】
ステップＳ３０６、ロジック処理の流れ：システムは着呼側番号で現在会議参加者情報を調べ、対応する会議室の番号を取得して、発呼側ユーザが当該会議の予定参加者であるか否かを判定し、そうである場合、会議パスワードを入力するように提示し、認証されてから会議にアクセスし、そうでない場合、着呼側ユーザにより当該発呼側ユーザを識別し、会議室にアクセスすることを許容するか否か判定し、許容する場合、会議の司会者により当該会議室にアクセスることを許容するか否かを判定し、許容する場合、当該発呼側ユーザを当該会議室にアクセスる。
【００４３】
ステップＳ３０８、会議に参加する流れ：認証されてから、発呼側ユーザが上記会議室に加入する。
【００４４】
上記実施例に紹介する会議へのアクセス方法により、本実施例は、会議へのアクセス装置を紹介する。当該装置は、会議システム側に配置され、上記実施例を実現するものである。図４は本発明の実施例に係る会議へのアクセス装置の構造ブロック図である。図４に示すように、当該装置は、呼出し受信モジュール１０と会議室アクセスモジュール２０とを含む。以下、当該構造について説明する。
【００４５】
呼出し受信モジュール１０は、発呼側ユーザの呼出しを受信し、当該発呼側ユーザの呼び出す番号情報は、着呼側ユーザの番号と会議システムにアクセスするための番号プレフィックスとを含み、着呼側ユーザが会議室の会議参加者である。
【００４６】
会議室アクセスモジュール２０は、呼出し受信モジュール１０に接続し、発呼側ユーザを上記会議システムの会議室にアクセスする。
【００４７】
上記装置によると、発呼側ユーザが呼び出す番号のプレフィックスにより、直接会議室システムにアクセスし、会議参加者を呼出すことで、直接会議室に加入することになり、関連技術において、様々な原因で発呼側ユーザが会議に参加できないという課題を解決し、発呼側ユーザが会議室にアクセスするプロセスを最適化して、会議アクセス方法の適用範囲を拡大し、発呼側ユーザが会議室にアクセスする効率と成功率を向上させている。
【００４８】
上記装置によると、発呼側ユーザが呼び出した上記番号プレフィックスにより会議システムにアクセスすることで、様々なタイプの通信ネットワーク間の区別が解消され、交換ネットワーク側で簡単な番号プレフィックスの分析設定をするだけで、交換ネットワークのタイプを区別することなく、インテリジェントネットワークサービスにより会議へのアクセスを実現できる。
【００４９】
会議アクセスの安全性を高めるために、発呼側ユーザの呼出しを受信してから、会議システムは、まず発呼側ユーザに対して身元認証をして、認証が成功してから、発呼側ユーザを会議室にアクセスすることができる。これに基づき、本実施例は、さらに好適な実施形態を提供する。図５に示す会議へのアクセス装置の第１種類の具体的な構造ブロック図のように、当該装置は上記図４に示す各モジュールの他に、さらに、呼出し受信モジュール１０と会議室アクセスモジュール２０に接続し、上記番号情報により上記発呼側ユーザに対して身元認証を行う身元認証モジュール３０を含む。
【００５０】
如何にして発呼側ユーザの身元認証を行うかということについて、本実施例は、好適な実施形態を提供している。図６に示す会議へのアクセス装置の第２種類の具体的な構造ブロック図のように、当該装置は、上記図５に示す各モジュールの他に、上記身元認証モジュール３０は、さらに、確定ユニット３２と第１の認証ユニット３４とを含む。以下、当該構造について説明する。
【００５１】
確定ユニット３２は、着呼側ユーザの番号により上記発呼側ユーザが上記着呼側ユーザの番号のある会議室にいるか否かを確定する。
【００５２】
第１の認証ユニット３４は、確定ユニット３２に接続し、上記確定ユニット３２により発呼側ユーザが上記会議室にいると確定された場合、上記発呼側ユーザに対して身元認証を行う。
【００５３】
上記好適な実施形態により、発呼側ユーザが上記会議室の会議参加者であるか否かを判定でき、そうである場合、直接発呼側ユーザを会議室にアクセスすることが好ましい。
【００５４】
確定ユニット３２により如何にして発呼側ユーザが会議室にいるか否かを判定するかということについて、下記のような好適な実施形態を紹介する。即ち、上記確定ユニット３２は、着呼側ユーザの番号がオンライン会議参加者の情報にあるか否かを調べる調査サブユニットと、調査サブユニットの調査結果は着呼側ユーザ番号が上記オンライン会議参加者の情報にあることである場合、着呼側ユーザの番号により、着呼側ユーザの番号のある会議室の会議室番号を確定し、会議室の番号により当該会議室の会議参加者の情報を確定する第１の確定サブユニットと、第１の確定サブユニットにより確定された上記会議参加者の情報により上記発呼側ユーザが上記会議室にいるか否かを確定する第２の確定サブユニットとを含む。上記好適な実施形態により、発呼側ユーザが会議室にいるか否かを確定する正確率が高められ、会議へのアクセスの安全性が向上されている。
【００５５】
発呼側ユーザが会議参加者であると確定された後、発呼側ユーザを直接会議室にアクセスすることができるが、ある会議で討議される内容は機密なものである場合など会議アクセスの安全性を高めるために、さらに発呼側ユーザに対して身元認証をする必要がある。従って、本実施例は、ある好適な実施形態を提供する。即ち、上記第１の身元認証ユニットは、発呼側ユーザに会議パスワードを入力するように提示するパスワード提示サブユニットと、発呼側ユーザの入力した会議パスワードが正確であるか否かを判断するパスワード判断サブユニットと、上記パスワード判断サブユニットの判断結果は正確である場合、上記発呼側ユーザに対する身元認証が成功したと確定する第１の認証成功サブユニットとを含む。
【００５６】
発呼側ユーザが会議参加者ではないと確定されてから、会議アクセス方法の適用範囲を拡大し、発呼側ユーザの会議へのアクセスの成功率を高めるために、発呼側ユーザを会議傍聴者として会議にアクセスすることを許容するか否かを考慮することができる。従って、本実施例は、さらに好適な実施形態を提供する。即ち、身元認証モジュール３０は、確定ユニット３２により発呼側ユーザが会議室にいないと確定された場合、発呼側ユーザを上記会議室の会議傍聴者として、発呼側ユーザに対して身元認証を行う第２の認証ユニットをさらに含む。
【００５７】
発呼側ユーザを会議室の会議傍聴者とすることを考慮してから、発呼側ユーザに対して身元認証を行うことは、着呼側ユーザ及び／又は会議の司会者が許容するか否かにより、発呼側ユーザが会議室にアクセスするか否かを決定する。これに基づき、本実施例はある好適な実施形態を提供する。即ち、上記第２の認証ユニットは、着呼側ユーザに上記発呼側ユーザの会議室へのアクセスを許容するか否かを尋ねる第１の問合せサブユニットと、上記第１の問合せサブユニットの問合せ結果は着呼側ユーザが発呼側ユーザの会議室へのアクセスを許容することである場合、上記会議室の司会者に発呼側ユーザの会議室へのアクセスを許容するか否かを尋ねる第２の問合せサブユニットと、上記問合せ結果は上記会議室の司会者が発呼側ユーザの会議室へのアクセスを許容することである場合、発呼側ユーザに対する身元認証が成功したと確定する第２の認証成功サブユニットとを含む。
【００５８】
もちろん、上記形態は、着呼側ユーザ及び／又は会議室司会者により発呼側ユーザの会議アクセスを許容するか否かを確定することもでき、着呼側ユーザ又は他の会議参加者により許容するか否かを確定することもできる。上記許容するか否かを確定する動作の実行体は当該会議室に関係する何れか一つ、又は複数の会議参加者であってもよく、且つその判断する順番も定められていない。上述したようなまず着呼側ユーザにより許容するか否かを確定し、それから会議室の司会者により許容するか否かを確定する方式はある好適な実施形態に過ぎない。当該方式により、非予定参加者の会議傍聴機能を実現でき、会議アクセス方法の適用範囲を拡大し、通信オペレーターが素早くて、低コストにサービスを展開することができるようになる。
【００５９】
図７は本発明の実施例に係る会議参加者を呼び出し直接会議システムにアクセスさせるモジュール構造図である。図７に示すように、上記会議システムは、会議モジュールと、会議参加者情報登録モジュール、ロジック処理モジュール、及びデータベースモジュールを含む。
【００６０】
会議モジュールは、電話会議サーバ、会議管理、会議操作者管理などを含む伝統的な電話会議の機能を提供する。
【００６１】
会議参加者情報登録モジュールは、呼出し受信モジュールが発呼側ユーザの呼出しを受信する前に、会議参加者が会議に参加してから、会議参加者番号、会議状態、会議室の番号などの会議参加者の情報を記録する。
【００６２】
ロジック処理モジュールは、その機能が上記実施例における身元認証モジュールの機能に相当し、発呼側ユーザがプレフィックス＋着呼側ユーザ番号を呼出してから、当該モジュールは、着呼側ユーザの番号により対応する会議室のアクセス番号を調べ、対応する会議参加者情報を調べ、着呼側により発呼側ユーザ番号に対して認証を行い、会議の司会者により認証されてから、発呼側ユーザを対応する会議室にアクセスする。
【００６３】
データベースモジュールは、会議システムの所要データを記憶する。
【００６４】
上記実施例に紹介する会議システムの各モジュールに基づき、以下、会議システムの各モジュールにより会議へのアクセスを実現する方法について紹介する。図８は本発明の実施例に係る会議システムの各モジュールにより会議へのアクセスを実現する方法のフローチャート図である。図８に示すように、当該方法は以下のようなステップ（ステップＳ８０２〜ステップＳ８２２）を含む。
【００６５】
ステップＳ８０２、会議を開始する。会議モジュールは伝統的な電話会議の機能を提供する。会議の時間になってから、会議参加者がシステム外で呼出す、又は自発的にアクセス番号を呼出す方式により会議にアクセスし、会議を通常に開始する。
【００６６】
ステップＳ８０４、システムは、会議参加者情報を記憶する。会議を開始してから、会議参加者情報登録モジュールにより、会議中であるか否か、対応する会議室番号などを含む会議参加者の情報を記憶する。
【００６７】
ステップＳ８０６、発呼側ユーザはシステムにアクセスする。発呼側ユーザＡはプレフィックス＋着呼側ユーザＢの番号を呼出し、交換側により、プレフィックス番号を分析し本システムにアクセスする。
【００６８】
ステップＳ８０８、着呼側ユーザＢが会議参加者情報にあるか否かを判定する。システムは、呼出しを受信してから、プレフィックス番号を除去し、着呼側ユーザＢの番号で会議参加者の情報を調べ、着呼側ユーザＢがシステムにおいてオンライン会議参加者である場合、対応する会議室の番号を取得し、ステップＳ８１０を実行し、そうでない場合、ステップＳ８２２を実行する。
【００６９】
ステップＳ８１０、発呼側ユーザＡが会議の予定参加者であるか否かを判定する。会議参加者リストを調べ、発呼側ユーザＡが会議の予定参加者である場合、ステップＳ８２０を実行し、そうでない場合、ステップＳ８１２を実行する。
【００７０】
ステップＳ８１２、着呼側ユーザは発呼側ユーザＡの会議へのアクセスを許容するか否かを決定する。発呼側ユーザＡが会議参加者リストにいない場合、発呼側ユーザＡが傍聴を希望するユーザであったら、まず、着呼側ユーザＢにより認証され、システムは、ユーザＡが会議への参加を希望しているが、許容するだろうか、許容する場合は１、断る場合は２を押すという旨のことを音声で着呼側ユーザＢに提示する。着呼側ユーザＢが許容する場合、ステップＳ８１４を実行し、そうでない場合、ステップＳ８１８を実行する。
【００７１】
ステップＳ８１４、会議の司会者は発呼側ユーザＡの会議へのアクセスを許容するか否かを決定する。着呼側ユーザＢによる発呼側ユーザＡの身元認証が成功されてから、システムが、ユーザＡがユーザＢを呼出し、会議を傍聴することを希望しているが、許容するだろうか、許容する場合は１、断る場合は２を押すという旨のことを音声又はＷＥＢインタフェースで会議の司会者に提示する。会議の司会者が許容する場合、ステップＳ８１６を実行し、そうでない場合、ステップＳ８１８を実行する。
【００７２】
ステップＳ８１６、発呼側ユーザＡは会議に加入される。当該流れが終了する。
【００７３】
ステップＳ８１８、会議に参加する権限がないと音声で発呼側ユーザＡに提示する。当該流れが終了する。
【００７４】
ステップＳ８２０、会議パスワードを入力するように提示する。パスワードが認証されてから、ステップＳ８１６を実行する。
【００７５】
ステップＳ８２２、呼出されたユーザが会議にいないと音声で発呼側ユーザＡに提示する。当該流れが終了する。
【００７６】
上記説明から分かるように、本発明の実施例において、発呼側ユーザは直接会議参加者を呼出すことで会議室にアクセスしている。本発明の実施例によると、柔軟的なネットワーク構築配置があり、発呼側ユーザが会議室にアクセスする流れを最適化して、会議へのアクセス方法の適用範囲を拡大し、発呼側ユーザが会議室にアクセスする効率と成功率を向上させている。
【００７７】
言うまでもなく、上述した本発明の実施例の各モジュールまたは各ステップは、汎用のコンピュータ装置により実現することができ、単一のコンピュータ装置に集成してもよいし、複数のコンピュータ装置からなるネットワークに配置してもよい。また、コンピュータ装置が実行可能なプログラムコードにより実現されてもよい。これにより、記憶装置に記憶されてコンピュータ装置により実行されることができる。ある場合、ここと違う順番で示されたまたは説明されたステップを実行してもよいし、或いは、それぞれ各々の集積回路モジュールに作成したり、それらの中の複数のモジュールまたはステップを単一の集積回路モジュールに作成したりして実現することができる。このように、本発明の実施例は、いずれの特定のハードウェアとソフトウェアの組み合わせにも限定されない。
【００７８】
以上は、本発明の好適な実施例に過ぎず、本発明を限定するものではない。当業者であれば、本発明の様々な変更や変形が可能である。本発明の精神や原則を逸脱しないいずれの変更、置換、改良なども本発明の保護範囲内に含まれる。
【産業上の利用可能性】
【００７９】
本発明の実施例に係る技術は、電話会議分野に適用でき、関連技術において、様々な原因で発呼側ユーザが会議に参加できないという課題を解決し、発呼側ユーザが会議室にアクセスするプロセスを最適化して、会議アクセス方法の適用範囲を拡大し、発呼側ユーザが会議室にアクセスする効率と成功率を向上させている。
【図１】
2015536618.tif 000003
【図２】
2015536618.tif 000004
【図３】
2015536618.tif 000005
【図４】
2015536618.tif 000006
【図５】
2015536618.tif 000007
【図６】
2015536618.tif 000008
【図７】
2015536618.tif 000009
【図８】
2015536618.tif 000010
【国際調査報告】
2015536618.tif 000011
2015536618.tif 000012
2015536618.tif 000013
2015536618.tif 000014